(57)【特許請求の範囲】
【請求項１】
先端に装着部材（Ｂ）を介して注射針（Ｃ）を固定した主筒（Ａ）と、主筒（Ａ）内に流体の充填空間を画成してその摺動にて流体を注射針の先端から排出するプランジャ（Ｄ）とを備えた注射器であって、使用後の注射針（Ｃ）の先端を被覆しての安全廃棄が可能な安全廃棄手段を備えた固定部材（Ｅ）を設けてなり、固定部材（Ｅ）は、主筒（Ａ）先端部に嵌着固定した下部固定筒（３０）と、下部固定筒（３０）上方離間位置に、注射針（Ｃ）を頂部より貫通させた状態で支持した下端開口の有頂筒状をなす上部固定筒（５０）とを、易切断部（７１）を備えた離間用腕（７０）を介して連結し、下部固定筒（３０）と上部固定筒（５０）との間に、伸長が可能な連結杆（８０）を掛け渡してなり、安全廃棄手段として、廃棄時に易切断部（７１）を切断した後、連結杆（８０）を伸長させて上部固定筒（５０）を上昇させ、上部固定筒（５０）の頂部裏面に注射針（Ｃ）の先端を係止可能に構成したことを特徴とする注射器。
【請求項２】
固定部材（Ｅ）は、中心線で縦断した第一半部（Ｅ１）と、第二半部（Ｅ２）とをヒンジ（９０）を介して連設するとともに、注射針（Ｃ）を装着した主筒（Ａ）に第一半部（Ｅ１）を嵌合することが可能に形成しており、
上記ヒンジ（９０）は、上記主筒（Ａ）に第一半部（Ｅ１）をさせた状態で第二半部（Ｅ２）が第一半部へ当接する向きへ回転させることができるように形成されており、
第一半部（Ｅ１）と第二半部（Ｅ２）とが相互に当接した状態で第一半部及び第二半部を相互に固定し、主筒（Ａ）に対して嵌着させることが可能な係合手段を設けた
ことを特徴とする請求項１に記載の注射器。
【請求項３】
連結杆（８０）が、下端を下部固定筒（３０）に連結し、上端を上部固定筒（５０）に連結した蛇行帯状をなす請求項１又は請求項２に記載の注射器。
【請求項４】
装着部材（Ｂ）と下部固定筒（３０）との間に相互の回転を防止する回り止めを設けた請求項１乃至請求項３のいずれか１項に記載の注射器。
【請求項５】
装着部材（Ｂ）と下部固定筒（３０）との間に、固定部材（Ｅ）の抜け出しを防止する抜け出し防止手段を設けた請求項１乃至請求項４のいずれか１項に記載の注射器。
【発明の詳細な説明】
【技術分野】
【０００１】
本発明は注射器に関し、詳しくは、安全な廃棄が行える注射器に関する。
【背景技術】
【０００２】
使用済みの注射器はその取り扱いの際の安全性を確保する観点から注射器の針にカバーを取り付けることが行なわれている。（例えば、特許文献１参照）
【０００３】
特許文献１に記載されている注射器は、注射針の少なくとも先端域を隠すカバーを備えている。このカバーは、注射器のシリンジに固着されるか若しくは着脱自在に嵌合保持されるベースと、このベースにヒンジを介して揺動可能に連結しその引き起しによって針の少なくとも先端域を格納する凹部空間を有するカバー本体を備え、該カバー本体に、凹部空間の互いに相違する縁に沿ってそれぞれ折り返し可能に保持され、針の格納状態で折り返し溝を機転とする折り返しにて各先端部を相互に突き合わせて凹部空間の、前記針の少なくとも先端域を収納する部位を閉塞させる一対の蓋体を備え、蓋体の一方の先端部に凸部を設け、蓋体のもう一方の先端部に凸部に嵌合して両蓋体を相互につなぐ開口を有する。
【先行技術文献】
【特許文献】
【０００４】
【特許文献１】特開２００３−２７５３０９号公報
【発明の概要】
【発明が解決しようとする課題】
【０００５】
本発明は上記した従来技術と同様に、使用後に注射針の先端を被覆して安全な廃棄が可能であり、しかも使用時にはコンパクトな状態での使用が可能であり、その取り扱いも便利な注射器を提案する。
【課題を解決するための手段】
【０００６】
第１の手段として、以下の通り構成した。即ち、即ち、先端に装着部材Ｂを介して注射針Ｃを固定した主筒Ａと、主筒Ａ内に流体の充填空間を画成してその摺動にて流体を注射針の先端から排出するプランジャＤとを備えた注射器であって、使用後の注射針Ｃの先端を被覆しての安全廃棄が可能な安全廃棄手段を備えた固定部材Ｅを設けてなり、固定部材Ｅは、主筒Ａ先端部に嵌着固定した下部固定筒３０と、下部固定筒３０上方離間位置に、注射針Ｃを頂部より貫通させた状態で支持した下端開口の有頂筒状をなす上部固定筒５０とを、易切断部７１を備えた離間用腕７０を介して連結し、下部固定筒３０と上部固定筒５０との間に、伸長が可能な連結杆８０を掛け渡してなり、安全廃棄手段として、廃棄時に易切断部７１を切断した後、連結杆８０を伸長させて上部固定筒５０を上昇させ、上部固定筒５０の頂部裏面に注射針Ｃの先端を係止可能に構成した。
【０００７】
第２の手段として、以下の通り構成した。即ち、前記第１の手段に於いて、
固定部材Ｅは、中心線で縦断した第一半部Ｅ１と、第二半部Ｅ２とをヒンジ９０を介して連設するとともに、注射針Ｃを装着した主筒Ａに第一半部Ｅ１を嵌合することが可能に形成しており、
上記ヒンジ９０は、上記主筒Ａに第一半部Ｅ１をさせた状態で第二半部Ｅ２が第一半部へ当接する向きへ回転させることができるように形成されており、
第一半部Ｅ１と第二半部Ｅ２とが相互に当接した状態で第一半部及び第二半部を相互に固定し、主筒Ａに対して嵌着させることが可能な係合手段を設けた。
【０００８】
第３の手段として、以下の通り構成した。即ち、前記第１の手段又は第２の手段のいずれかの手段に於いて、連結杆８０が、下端を下部固定筒３０に連結し、上端を上部固定筒５０に連結した蛇行帯状をなす。
【０００９】
第４の手段として、以下の通り構成した。即ち、前記第１の手段乃至第３の手段のいずれかの手段に於いて、装着部材Ｂと下部固定筒３０との間に相互の回転を防止する回り止めを設けた。
【００１０】
第５の手段として、以下の通り構成した。即ち、前記第１の手段乃至第４の手段のいずれかの手段に於いて、装着部材Ｂと下部固定筒３０との間に、固定部材Ｅの抜け出しを防止する抜け出し防止手段を設けた。
【発明の効果】
【００１１】
本発明によれば、安全廃棄手段を備えた固定部材Ｅを設けており、使用後の注射針Ｃの先端を被覆しての安全廃棄が可能である。また、固定部材Ｅは、主筒Ａ先端部に嵌着固定した下部固定筒３０と、下部固定筒３０上方離間位置に、注射針Ｃを頂部より貫通させた状態で支持した下端開口の有頂筒状をなす上部固定筒５０とを、易切断部７１を備えた離間用腕７０を介して連結し、下部固定筒３０と上部固定筒５０との間に、伸長が可能な連結杆８０を掛け渡しており、安全廃棄手段として、廃棄時に易切断部７１を切断した後、連結杆８０を伸長させて上部固定筒５０を上昇させ、上部固定筒５０の頂部裏面に注射針Ｃの先端を係止可能に構成しているため、使用時には下部固定筒３０と上部固定筒５０の間はできるだけ間隔が少なくコンパクトな状態で装着しておくことができ、廃棄時には簡単な操作で注射針Ｃの先端の被覆が可能となる。
【００１２】
固定部材Ｅは、中心線で縦断した第一半部Ｅ１と、第二半部Ｅ２とをヒンジ９０を介して連設するとともに、注射針Ｃを装着した主筒Ａに第一半部Ｅ１を嵌合することが可能に形成しており、上記ヒンジ９０は、上記主筒Ａに第一半部Ｅ１をさせた状態で第二半部Ｅ２が第一半部へ当接する向きへ回転させることができるように形成されており、第一半部Ｅ１と第二半部Ｅ２とが相互に当接した状態で第一半部及び第二半部を相互に固定し、主筒Ａに対して嵌着させることが可能な係合手段を設けた場合には、固定部材Ｅの装着固定がきわめて簡単に行なえるとともに、その成形も合成樹脂等により一体に形成できる利点がある。
【００１３】
連結杆８０が、下端を下部固定筒３０に連結し、上端を上部固定筒５０に連結した蛇行帯状をなす場合には、連結杆８０を注射器使用時には折り畳んだ状態で、効率良く各固定筒間にきわめてコンパクトに収納させておくことができ、使用後には効率のよい伸長が可能であり、突出幅の大きい注射針Ｃに対しても使用時のコンパクトな固定部材Ｅで充分対応が可能となる。
【００１４】
装着部材Ｂと下部固定筒３０との間に相互の回転を防止する回り止めを設けた場合には、使用後に易切断部７１を切断する際に下部固定筒３０を安定的に支持させておくことができ、下部固定筒３０に対して上部固定筒５０回動させることでの易切断部７１の容易な切断が可能となる。
【００１５】
装着部材Ｂと下部固定筒３０との間に、固定部材Ｅの抜け出しを防止する抜け出し防止手段を設けた場合には、注射器使用時の固定部材Ｅの抜け出しを防止することは勿論、使用後に注射針Ｃの先端を被覆させるために、易切断部７１を切断して上部固定筒５０を上昇させる際にも下部固定筒３０が装着部材Ｂから外れることを確実に防止できるという利点がある。
【図面の簡単な説明】
【００１６】
【図１】固定部材を組み付ける際の注射器の縦断面図である。（第１実施例）
【図２】固定部材の形成時の平面図である。（第１実施例）
【図３】固定部材の形成時の底面図である。（第１実施例）
【図４】注射器の要部正面図である。（第１実施例）
【図５】注射器の作用を説明する説明図である。（第１実施例）
【発明を実施するための形態】
【００１７】
以下、本発明の形態を図面を参照して説明する。
【００１８】
図１は本発明の注射器１の第一実施例を示す。注射器１は、主筒Ａと、装着部材Ｂと、注射針Ｃと、プランジャＤと、固定部材Ｅとを備えている。尚、本例では、説明の便宜上、図１の上方を上部、下方を下部、手前を前部、後方を後部、左方を左部、右方を右部として説明する。
【００１９】
主筒Ａは先端中央部に注出筒１０を起立し、注出筒１０の周囲に螺筒１１を起立している。
【００２０】
装着部材Ｂは注射針Ｃを嵌着するもので、主筒Ａに装着部材Ｂを介して注射針Ｃを装着する。本例に於ける装着部材Ｂは、注出筒１０外周に内面を気密・液密に嵌合させた大径周壁２０の上端より注出筒１０上面に嵌合するフランジ２１を介して小径周壁２２を起立している。また、小径周壁２２の下部に突設し、中央に嵌合孔２３を穿設したフランジ状の係止壁２４を突設し、嵌合孔２３内に注射針Ｃの下端部を嵌着してその上端を小径周壁２２の上方まで起立している。更に、小径周壁２２の外周下部には環状突条を突設して、フランジ２１との間に嵌合凹部２５を形成している。この嵌合凹部２５は固定部材Ｅの装着部材Ｂからの抜け出し防止を図る抜け出し防止手段を構成する。また、大径周壁２０の外周下部には螺筒１１の螺条１２と螺合する螺条２７を突設している。また、嵌合凹部２５と螺条２７との間の大径周壁２０外周には、周方向多数縦設した係止突条２６で構成されるローレットを設けており、このローレットは回り止めを構成する。
【００２１】
プランジャＤは、主筒Ａ内に流体の充填空間を画成してその摺動にて流体を注射針の先端から排出する。
【００２２】
固定部材Ｅは、使用後の注射針Ｃの先端を被覆しての安全廃棄が可能な安全廃棄手段を備えている。
【００２３】
固定部材Ｅは、主筒Ａ先端部に嵌着固定した下部固定筒３０と、下部固定筒３０上方離間位置に、注射針Ｃを頂部より貫通させた状態で支持した下端開口の有頂筒状をなす上部固定筒５０とを、易切断部７１を備えた離間用腕７０を介して連結するとともに、伸長が可能な連結杆８０を掛け渡している。
【００２４】
本例に於ける下部固定筒３０は、螺筒１１外周に嵌合する周壁３１上面よりフランジ状の下部頂板３２を延設し、下部頂板３２の内周縁より小径の連結筒３３を介して、下部頂板３２と同形状の環状の上部頂板３４を延設している。下部頂板３２と上部頂板３４との間の、各頂板の中央を横断する位置には一対の下部縦壁３５を縦設している。また、連結筒３３内面より装着部材Ｂの嵌合凹部２５に嵌合する嵌合突条３６を突設している。この嵌合突条３６は嵌合凹部２５とで、上記した如き固定部材Ｅの抜け出し防止手段を構成する。嵌合突条３６の下方には、装着部材Ｂのローレットを構成する係止突条２６間に係合して装着部材Ｂと固定部材Ｅとの回転防止を図る回り止めを構成する係合突条３７を、対向位置に一対突設している。
【００２５】
上部固定筒５０は、周壁部５１の上端縁より頂壁部５２を延設した下端開口の有頂筒状をなし、頂壁部５２に注射針Ｃを貫通する透孔５３を穿設し、また、周壁部５１の外周下端部より下部固定筒３０の上部頂板３４と同形状の下部フランジ５４及び上部フランジ５５を、上下間隔をあけて突設しており、下部フランジ５４と上部フランジ５５間に、固定部材Ｅの下部縦壁３５と平行する一対の上部縦壁５６を縦設している。また、下部フランジ５４の左右外縁の各上部縦壁５６下方位置から下方へ棒状の離間用腕７０を垂設し、一方の離間用腕７０下面を細棒状の易切断部７１を介して下部固定筒３０の上部頂板３４上面縁部と一体に連結している。
【００２６】
連結杆８０は、注射針Ｃの前後に於いて、下部固定筒３０と上部固定筒５０とを連結するもので、後部の連結杆８０ａは、下部固定筒３０の上部頂板３４上面後部の左右方向中央位置に下端部を、上部固定筒５０の下部フランジ５４下面後部の左右方向中央位置に上端部をそれぞれ一体に連結した蛇行する棒状をなしている。また、前部の連結杆８０ｂは、下部固定筒３０の上部頂板３４上面前部の左右方向中央位置に下端部を、上部固定筒５０の下部フランジ５４下面前部の左右方向中央位置に上端部をそれぞれ一体に連結した蛇行する棒状をなしている。
【００２７】
尚、本例では、図１に示す如く、固定部材Ｅを、中心線で前後に縦断した第一半部Ｅ１と、第二半部Ｅ２とをヒンジ９０を介して連設している。
【００２８】
第一半部Ｅ１は、下部固定筒第一半部３０ａと、上部固定筒第一半部５０ａと、一対の離間用腕第一半部７０ａと、後部の連結杆８０ａを備えている。
【００２９】
下部固定筒第一半部３０ａは、上記した如き下部固定筒３０を中心線上でそれぞれ半分にした半分形状をなす、周壁第一半部３１ａ、下部頂板第一半部３２ａ、連結筒第一半部３３ａ、上部頂板第一半部３４ａ、一対の下部縦壁第一半部３５ａ、嵌合突条第一半部３６ａを備え、また、係合突条３７は、図１の状態の連結筒第一半部３３ａの内面中央部に突設されている。尚、図１では隠れている。また、左方の下部縦壁第一半部３５ａには係合手段を構成する下部係合孔３８を穿設している。
【００３０】
同様に、上部固定筒第一半部５０ａは、周壁部第一半部５１ａ、頂壁部第一半部５２ａ、透孔第一半部５３ａ、下部フランジ第一半部５４ａ、上部フランジ第一半部５５ａ、一対の上部縦壁第一半部５６ａ、一対の離間用腕第一半部７０ａを垂設し、離間用腕第一半部７０ａ下面を易切断部７１で上部頂板第一半部３４ａ上面と連結している。また、左方の上部縦壁第一半部５６ａには係合手段を構成する上部係合孔５７を穿設している。
【００３１】
同様に第二半部Ｅ２は、下部固定筒第二半部３０ｂと、上部固定筒第二半部５０ｂと、一対の離間用腕第二半部７０ｂと、前部の連結杆８０ｂを備えている。
【００３２】
下部固定筒第二半部３０ｂは、上記した如き下部固定筒３０を中心線上でそれぞれ半分にした半分形状をなす、周壁第二半部３１ｂ、下部頂板第二半部３２ｂ、連結筒第二半部３３ｂ、上部頂板第二半部３４ｂ、一対の下部縦壁第二半部３５ｂ、嵌合突条第二半部３６ｂを備え、また、係合突条３７は、図１の状態の連結筒第２半部３３ｂの内面中央部に突設されており、組み付け後は連結筒第１半部３３ａの係止突条３７と対向位置に一対突設されることとなる。また、右方（組み付け後は左方）の下部縦壁第二半部３５ｂには係合手段を構成し、下部係合孔３８と係合する下部フック３９を突設している。
【００３３】
同様に、上部固定筒第二半部５０ｂは、周壁部第二半部５１ｂ、頂壁部第二半部５２ｂ、透孔第二半部５３ｂ、下部フランジ第二半部５４ｂ、上部フランジ第二半部５５ｂ、一対の上部縦壁第二半部５６ｂ、一対の離間用腕第二半部７０ｂを備え、右方（組み付け後は左方）の離間用腕第二半部７０ｂ下面を易切断部７１で上部頂板第二半部３４ｂ上面と連結している。また、右方（組み付け後は左方）の上部縦壁第二半部５６ｂには係合手段を構成し、上部係合孔５７と係合する上部フック５８を突設している。
【００３４】
上記の如く構成された第一半部Ｅ１と第二半部Ｅ２とは、各下部縦壁３５間及び各上部縦壁５６間を下部ヒンジ９０ａ及び上部ヒンジ９０ｂでそれぞれ連結している。
【００３５】
固定部材Ｅの組み付け方法としては主筒Ａに最初から取り付けてもいいし、後から取り付けても良い。前者の場合、注射針Ｃを嵌着した装着部材Ｂに固定部材Ｅを組み付けた後、それを主筒Ａに螺着固定することができ、また後者の場合には、注射針Ｃを嵌着した装着部材Ｂを主筒Ａに螺着した後、装着部材Ｂ及び主筒Ａに固定部材Ｅを組み付ける。具体的な固定部材Ｅの組み付け方法は、第一半部Ｅ１を所定位置に嵌合した後、第二半部Ｅ２を回動して第一半部Ｅ１に当接させ、両者を係合手段により嵌着固定する。
【００３６】
上記の如く構成した注射器１は、安全廃棄手段として、図５に示す如く、廃棄時に易切断部７１を切断した後、連結杆８０を伸長させて上部固定筒５０を上昇させ、上部固定筒５０の頂部裏面に注射針Ｃの先端を係止可能に構成している。
【符号の説明】
【００３７】
１：注射器
Ａ：主筒
１０…注出筒、１１…螺筒、１２…螺条
Ｂ：装着部材
２０…大径周壁、２１…フランジ、２２…小径周壁、２３…嵌合孔、２４…係止壁
２５…嵌合凹部、２６…係止突条、２７…螺条
Ｃ：注射針
Ｄ：プランジャ
Ｅ：固定部材
３０：下部固定筒、
３１…周壁、３２…下部頂板、３３…連結筒、３４…上部頂板、
３５…下部縦壁、３６…嵌合突条、３７…係合突条
５０：上部固定筒
５１…周壁部、５２…頂壁部、５３…透孔、５４…下部フランジ、５５…上部フランジ、５６…上部縦壁、７０…離間用腕、７１…易切断部、８０…連結稈
Ｅ１：第一半部
３０ａ…下部固定筒第一半部
３１ａ…周壁第一半部、３２ａ…下部頂板第一半部、３３ａ…連結筒第一半部、
３４ａ…上部頂板第一半部、３５ａ…下部縦壁第一半部、３６ａ…嵌合突条第一半部、
３８…下部係合孔
５０ａ：上部固定筒第一半部
５１ａ…周壁部第一半部、５２ａ…頂壁部第一半部、５３ａ…透孔第一半部、
５４ａ…下部フランジ第一半部、５５ａ…上部フランジ第一半部、
５６ａ…上部縦壁第一半部、５７…上部係合孔、７０ａ：離間用腕第一半部、
８０ａ…後部の連結稈
Ｅ２：第二半部
３０ｂ…下部固定筒第二半部
３１ｂ…周壁第二半部、３２ｂ…下部頂板第二半部、３３ｂ…連結筒第二半部、
３４ｂ…上部頂板第二半部、３５ｂ…下部縦壁第二半部、３６ｂ…嵌合突条第二半部、
３９…下部フック
５０ｂ：上部固定筒第二半部
５１ｂ…周壁部第二半部、５２ｂ…頂壁部第二半部、５３ｂ…透孔第二半部、
５４ｂ…下部フランジ第二半部、５５ｂ…上部フランジ第二半部、
５６ｂ…上部縦壁第二半部、５８…上部フック、
７０ｂ：離間用腕第二半部、８０ｂ…前部の連結稈
９０：ヒンジ
９０ａ…下部ヒンジ、９０ｂ…上部ヒンジ
【図１】
0005921862.tif 000002
【図２】
0005921862.tif 000003
【図３】
0005921862.tif 000004
【図４】
0005921862.tif 000005
【図５】
0005921862.tif 000006